(57)【特許請求の範囲】
【請求項１】
板状の本体部と、該本体部に形成された固定接点と、該固定接点に接離して電気回路を開閉する可動接点と、該可動接点が前記固定接点から離反するように付勢する弾性部材とを有し、可動接点が固定接点に接触した状態で可動接点が移動可能に支持され、前記可動接点が前記本体部とほぼ平行な板状の接点保持部材に固定され、前記可動接点の移動が、該接点保持部材の直線的な進退及び／又は回動により行われ、可動接点の移動量が所定の値を越えた場合に、可動接点が固定接点から離反するようにしたことを特徴とする盗難防止装置。
【請求項２】
前記本体部に、該接点保持部材の回動角度及び／又は進退量を規制する規制部を形成したことを特徴とする請求項１に記載の盗難防止装置。
【請求項３】
前記固定接点を含む電気回路に接続するために前記本体部に設けられた雌端子と、該雌端子に接続される雄端子と該雄端子に接続されるケーブルと、該ケーブルが配索されるために前記本体部に形成された溝とを有し、前記端子を収容する凹部を本体部の中間位置に形成し、前記溝を該凹部の両側に形成したことを特徴とする請求項１又は２に記載の盗難防止装置。
【請求項４】
前記本体部に点灯手段を有し、該点灯手段は、前記固定接点と可動接点とが離反したとき点灯することを特徴とする請求項１から３のいずれかに記載の盗難防止装置。
【請求項５】
前記接点保持部材が、凸部を有することを特徴とする請求項２から４のいずれかに記載の盗難防止装置。
【請求項６】
前記固定接点と前記可動接点の対が複数あり、すべての前記可動接点が離反したときに、前記電気回路が開くことを特徴とする請求項１から５のいずれかに記載の盗難防止装置。
【請求項７】
前記固定接点と前記可動接点の対が複数あり、前記複数の可動接点のうちひとつが離反したときに、前記電気回路が開くことを特徴とする請求項１から５のいずれかに記載の盗難防止装置。
【請求項８】
前記固定接点と前記可動接点の対は２つあり、一方は前記本体部の上面側に、他方は前記本体部の下面側に設けられていることを特徴とする請求項６又は７記載の盗難防止装置。
【請求項９】
前記本体部は、滑り止め部を有することを特徴とする請求項６から８のいずれかに記載の盗難防止装置。
【発明の詳細な説明】
【技術分野】
【０００１】
本発明は、商品などの盗難を防止する装置に関し、特に、段ボールの箱用に適した盗難防止装置に関する。
【背景技術】
【０００２】
従来の盗難防止装置は、盗難防止タグと言われるもので、小さな筺体の内部に電源電池、ブザー等の警報装置、これらを接続する警報回路が形成された回路基板、盗難を検知するための検出スイッチ等を収納したものである。この筐体を商品等に両面テープなどで貼付して固定し、盗難者が商品から筐体を剥がすと警報音が鳴動するようになっている。このような盗難防止タグは、筐体内部の回路基盤からさらに、ループ状のケーブルが筐体の外へと延びており、このケーブルを商品展示棚などに結合させている。そして、このケーブルを切断しても警報が出されるようになっている。（例えば、特許文献１参照）
【特許文献１】特許第３２３４１６３号
【発明の開示】
【発明が解決しようとする課題】
【０００３】
しかしながら、このような盗難防止タグは、積み重ねた段ボール箱の盗難を防止するには不向きである。というのは、段ボール箱に前記の筐体を貼りつけても、段ボール箱から筐体を外すことなく、段ボール箱を破れば中の商品を取り出すことができるので、盗難防止の機能を果たせないからである。
【０００４】
本発明は、このような事実から考えられたもので、商品の入った段ボール箱等の盗難を防止することができる盗難防止装置を提供することを目的としている。
【課題を解決するための手段】
【０００５】
上記の目的を達成するために本発明の盗難防止装置は、板状の本体部と、該本体部に形成された固定接点と、該固定接点に接離して電気回路を開閉する可動接点と、該可動接点が前記固定接点から離反するように付勢する弾性部材とを有し、前記可動接点が前記固定接点に接触した状態で可動接点が移動可能に支持され、前記可動接点が前記本体部とほぼ平行な板状の接点保持部材に固定され、前記可動接点の移動が、該接点保持部材の直線的な進退及び／又は回動により行われ、可動接点の移動量が所定の値を越えた場合に、可動接点が固定接点から離反するようにしたことを特徴としている。
【０００６】
前記本体部に、該接点保持部材の回動角度及び／又は進退量を規制する規制部を形成した構成とすることができる。
【０００７】
また、前記固定接点を含む電気回路に接続するために前記本体部に設けられた雌端子と、該雌端子に接続される雄端子と該雄端子に接続されるケーブルと、該ケーブルが配索されるために前記本体部に形成された溝とを有し、前記端子を収容する凹部を本体部の中間位置に形成し、前記溝を該凹部の両側に形成した構成としてもよい。
【０００８】
前記本体部に点灯手段を有し、該点灯手段は、前記固定接点と可動接点とが離反したとき点灯する構成としたり、前記接点保持部材が、凸部を有する構成とすることができる。
【０００９】
さらに、前記固定接点と前記可動接点の対が複数あり、すべての前記可動接点が離反したときに、前記電気回路が開く構成としたり、前記固定接点と前記可動接点の対が複数あり、前記複数の可動接点のうち、ひとつが離反したときに、前記電気回路が開く構成としたり、前記固定接点と前記可動接点の対は２つあり、一方は前記本体部の上面側に、他方は前記本体部の下面側に設けられていることとしたり、前記本体部は、滑り止め部を有する構成とすることもできる。
【発明の効果】
【００１０】
本発明の盗難防止装置を、積み重ねられた段ボール箱に使用する場合、上の段ボール箱と下の段ボール箱との間に板状の本体部を挿入する。本体部に形成された固定接点と、弾性部材に付勢された可動接点とが、上の段ボール箱の重さで接触し、盗難防止用の回路が閉じられオン状態となって、盗難防止装置がセットされた状態となる。この状態で上の段ボール箱を持ち上げると、弾性部材の付勢力で可動接点が固定接点から離れ、オフ状態となって警報が発せられる。また、上の段ボール箱を動かしただけで、可動接点が直線的に移動するか回転するかして、やはり可動接点が固定接点から離れ、オフとなって警報が発せられる。これによって、段ボール箱を動かすだけで盗難を検知できるという優れた効果を奏する。
【００１１】
可動接点が板状の接点保持部材に固定され、前記本体部に該接点保持部材の回動角度を規制する規制部を形成することで、可動接点の回動角を制限して盗難防止装置の設定を容易にすることができる。
【００１２】
前記固定接点を含む電気回路に接続するために前記本体部に設けられた雌端子と、該雌端子に接続される雄端子と該雄端子に接続されるケーブルと、該ケーブルが配索されるために前記本体部に形成された溝とを有し、前記端子を収容する凹部を本体部の中間位置に形成し、前記溝を該凹部の両側に形成したことによって、ケーブルの接続部の損傷を防止することができる。前記溝が該凹部の両側に形成されることで、ケーブルを本体部の左右どちらにも配索することができる。
【００１３】
固定接点と可動接点とが離反したとき点灯する点灯装置を本体部に設けることで、離れた場所からどの段ボール箱が盗難されたかを簡単に知ることができる。
【００１４】
薄い板を差し込んで固定接点と可動接点との接触を保った状態とした上で上の段ボール箱を取り除こうとすると、盗難を検知できないおそれがある。しかし、接点保持部材に凸部を形成しておくと、薄い板を差し込んだとき、この凸部に当たって可動接点を動かすので、盗難を検知することができる。
【００１５】
固定接点と可動接点がそれぞれ複数あり、すべての可動接点が固定接点から離反した場合に電気回路が開いて盗難を検知する構成にした場合、ダンボール箱や盗難防止装置の位置を微調整した程度では盗難とは検知されないため、誤動作を防止できる。
【００１６】
固定接点と可動接点がそれぞれ複数あり、そのうちの何れか１つの可動接点が固定接点から離反すると盗難と検知する場合には、感度のよい検知が可能となる。
【００１７】
固定接点と可動接点がそれぞれ２つあり、一方は本体部の上側に、他方は下側に配置されていることで、確実に盗難を検知することができる。
【００１８】
本体部に滑り止め部を有する構成とした場合、上のダンボールと下のダンボールとの間に後端部分を突出した状態で設置しても、滑り止め部と上下のダンボールとの間の摩擦力で盗難防止装置がしっかりと固定するので、作業者等が突出した部分にぶつかっても盗難防止装置はずれることがなく、誤作動を防止することができる。
【発明を実施するための最良の形態】
【００１９】
以下、本発明の実施の形態を添付図面を参照して説明する。
【００２０】
図１は、本発明の盗難防止装置の分解斜視図で、図２は組立た状態を示す斜視図である。これらの図に示すように、盗難防止装置１０は、板状の本体部１１と、この本体部１１に組み込まれた基板１２と、接点保持部材１３と、弾性部材１４とから構成されている。
【００２１】
本体部１１は、全体として板状であるが、薄い板を離間して張り合わせた中空の構造になっている。本体部１１の先端側は、２つの突出端部１１ａ，１１ａに別れ、それぞれの先端には厚肉部１１ｂ，１１ｂが形成されている。また、突出端部１１ａ，１１ａの中間は薄肉部１１ｃで接続され、この薄肉部１１ｃには、長孔１１ｄが穿設されている。
【００２２】
基板１２は、内部に電気回路１２ａを埋設した合成樹脂製の薄板で、基板１２の一部が本体部１１の薄板に挟まれ、一部が突出端部１１ａ，１１ａと薄肉部１１ｃとで囲われた空間を充足している。基板１２に内蔵された電気回路１２ａの一部として固定接点１２ｂ部分だけが基板１２の表面に露出している。電気回路１２ａの端末は、ケーブル１５に接続され、本体部１１の後端の凹部１１ｅの端面に形成された図示しない雌端子に接続されている。この雌端子には、雄端子１６が接続され、雄端子１６からケーブル１９が延びている。雌端子と雄端子１６には、ピンジャックとピンプラグが適している。
【００２３】
図３（ａ），（ｂ）は、基板１２の電気回路１２ａの例を示す拡大図である。電気回路１２ａは、前述のように固定接点１２ｂのみが外部に露出し、他は基板１２を構成する合成樹脂内に埋設された状態である。この電気回路１２ａは、線１２ｃと線１２ｄとが固定接点１２ｂのところで近接配置されたものである。
【００２４】
固定接点１２ｂは、線１２ｃ側に３本あり、線１２ｄ側にも３本あって、これらが交互に配置されている。線１２ｃ，１２ｄは、ケーブル１５に接続され、ケーブル１５から図示しない雌端子に接続され、この雌端子に外部の雄端子１６が接続される。なお、電気回路１２ａには、必要に応じて抵抗などの回路素子１２ｅを接続する。
【００２５】
雄端子１６には、別のケーブル１９が接続されているが、このケーブル１９は、凹部１１ｅの両側に形成された溝１１ｆ，１１ｆのいずれかに収容され、配索される。溝１１ｆには凹凸が設けられ、ケーブル１９は溝１１ｆ内に蛇行状態に押し込むようにして収容され、簡単には溝１１ｆから外に出ないようになっている。このように、ケーブル１９の雄端子１６側を溝１１ｆに収容することで、ケーブル１９と雄端子１６との接続部に加わる衝撃力を緩衝させ、ケーブル１９の断線や損傷を防止することができる。溝１１ｆが凹部１１ｅの両側にあるので、ケーブル１９を左右どちら側にも配索し易くしている。
【００２６】
図４に示すように、ケーブル１９は、その先端に接続された別の雄端子２０（ピンプラグ）により集中管理装置２１の雌端子２１ａ（ピンジャック）に接続される。集中管理装置２１には、多数の雌端子２１ａと、各雌端子２１ａに対応するランプ２１ｂと、警報ランプ２１ｃ及び警報ブザー２１ｄが設けられている。
【００２７】
電気回路１２ａの固定接点１２ｂのパターンは、図３（ａ）のように盗難防止装置１０の中心線と平行でもよく、（ｂ）のように傾斜して配置してもよい。勿論、図３（ａ），（ｂ）に例示したもの以外、多様なパターンが採用できる。なお、固定接点１２ｂとしては、線１２ｃ側に１本、線１２ｄ側に１本の合計２本あればよいのであるが、この実施例では３本ずつ交互に配置している。接点が１本ずつだと、誤動作が多くなるため、３本ずつ配置することで、精度を上げることができる。しかしながら、誤動作の問題が起こらなければ１本ずつで合計２本の構成としてもよい。
【００２８】
弾性部材１４は、バネ鋼などから作られ、上側の長片１４ａと下側の短片１４ｂとがヘアピン状に折り曲げられたもので、可動接点１４ｃが一体的に形成されている。この弾性部材１４は、ピン１７とＥリング１８によって長孔１１ｄに軸支されるための孔を短片１４ｂに有する。図に示す長片１４ａの孔１４ｄは、短片１４ｂに穿設された孔と重なる位置にあり、弾性部材１４を長孔１１ｄに取り付ける作業をするための孔となっている。
【００２９】
接点保持部材１３は、四角形の板状で下面の３方に周縁があり、中央に窓１３ａがある。この接点保持部材１３の周縁内に弾性部材１４を貼りつけて固定するが、窓１３ａから可動接点１４ｃと、孔１４ｄが露出するようになっている。また、接点保持部材１３の窓１３ａの両側には、凸部１３ｂ，１３ｂが設けられている。
【００３０】
次に、組立方法を説明する。まず、接点保持部材１３の下面に弾性部材１４を接着剤などで固定する。次に、弾性部材１４を長孔１１ｄに重ね、下からピン１７を差しこみ、このピン１７を短片１４ｂの孔に貫通させ、上方の孔１４ｄからＥリング１８を入れてピン１７の先端にはめ込む。以上で図２に示すように組立られる。
【００３１】
ピン１７は長孔１１ｄ内を移動自在であり、接点保持部材１３の幅は突出端部１１ａ，１１ａの間の幅より小さいので、接点保持部材１３は、ピン１７を中心にした回動と、長孔１１ｄに沿った直線的な進退との双方が自在である。実際には、直線運動と回転運動との複合した動きとなっている。
【００３２】
可動接点１４ｃは、接点保持部材１３が突出端部１１ａ，１１ａの中央にあって、かつ、ピン１７が長孔１１ｄの中央にある場合（この位置を「基準位置」という言うことにする）は、可動接点１４ｃを上から押しつけることで、固定接点１２ｂと接触する。可動接点１４ｃが導電性のバネ鋼からできているので、３本ずつある固定接点１２ｂの線１２ｃ側の接点と線１２ｄ側の接点とを短絡して電気回路１２ａが閉じる。可動接点１４ｃに加わった力を除くと、可動接点１４ｃは弾性部材１４の付勢力で固定接点１２ｂから浮き上がり、電気回路１２ａは開かれる。
【００３３】
図５は、接点保持部材１３の回動範囲を示す拡大図である。接点保持部材１３は、前述したように、ピン１７を軸として、回動と直線的な進退とが可能になっている。そして、回動可能な範囲は、厚肉部１１ｂ，１１ｂが規制部となり、接点保持部材１３の先端側の角が、厚肉部１１ｂ，１１ｂのいずれか一方に当たる１３’から他方に当たる１３”までの範囲である。また、長孔１１ｄが直線的な進退量を規制する規制部で、長孔１１ｄ内をピン１７が移動する範囲内が進退方向の可能範囲である。可動接点１４ｃは、基準位置から所定の範囲内では固定接点１２ｂと接触可能で、線１２ｃ側の接点と線１２ｄ側の接点との短絡状態を保ち、電気回路１２ａを閉成できる。
【００３４】
しかし、本発明では、回動範囲内や進退範囲内であっても、回動角が一定の値を越えたり、進退量が一定の値を越えると、可動接点１４ｃは固定接点１２ｂから外れてこの閉成ができなくなるようにしている。固定接点１２ｂに可動接点１４ｃが接触して電気回路１２ａが閉じた状態をオンとし、固定接点１２ｂと可動接点１４ｃとが離れ、電気回路１２ａが開いた状態をオフとしたとき、集中管理装置２１では、多数接続された盗難防止装置１０のいずれかがオフの状態になると、その雄端子２０が接続された雌端子２１ａにオフの電気信号が入力される。それによって、その雌端子２１ａに対応するランプ２１ｂが点灯し、警報ランプ２１ｃが点灯し、警報ブザー２１ｄが鳴動する。これによって、離れていてもいずれかの盗難防止装置１０がオフになったことを知ることができ、集中管理装置２１に来れば、どのランプ２１ｂが点灯しているかが分かるので、どの盗難防止装置１０であるかを簡単に知ることができるようになる。
【００３５】
図６は本発明の盗難防止装置１０の使用状態を示す拡大断面図である。本発明の盗難防止装置１０は、積み重ねられた段ボール箱３１，３２の間に挿入して使用するものである。下の段ボール箱３１と上の段ボール箱３２の間に盗難防止装置１０を挿入する。後端側は段ボール箱３１，３２の外側に突出させておく。可動接点１４ｃは上の段ボール箱３２の重さで基板１２に押しつけられ、基板１２上に露出している固定接点１２ｂと接触する。このとき、ケーブル１９を集中管理装置２１に接続し、可動接点１４ｃと固定接点１２ｂとが接触していることを確認するとよい。
【００３６】
以上で盗難防止装置１０の設定が完了する。この後、上の段ボール箱３２を取り除くと、図７の拡大断面図に示すように可動接点１４ｃが持ち上がり、オフの状態となる。すると、前述したように集中管理装置２１の警報ランプ２１ｃが点灯し、警報ブザー２１ｄが鳴動する。監視員が集中管理装置２１に近づいてどのランプ２１ｂが点灯しているかを見ることで、盗難にあった段ボール箱を特定することができる。
【００３７】
段ボール箱３２を取り除いた場合は、上記の通りであるが、上の段ボール箱３２を取り除かないまでも、単に動かしただけでも、可動接点１４ｃが動き、固定接点１２ｂとの接触が外れてオフとなり、警報を発することになる。
【００３８】
また、上の段ボール箱３２と盗難防止装置１０との間に薄い板を入れ、可動接点１４ｃと固定接点１２ｂとの接触状態を保持したままで、上の段ボール箱３２を取り去ることができれば、具合が悪い。しかし、薄い板を挿入したとき、接点保持部材１３の凸部１３ｂに当たることになる。薄い板をなおも押し込もうとすると、接点保持部材１３を動かすことになり、可動接点１４ｃが動いてオフとなり、盗難を検知することができる。
【００３９】
なお、盗難防止装置１０自身に発光ダイオードなどの点灯手段を設け、固定接点１２ｂと可動接点１４ｃとが接触したオン状態で消灯し、両接点が離反したオフ状態で点灯するようにすれば、盗難箇所の発見を早くすることができる。
【００４０】
図８は本発明の盗難防止装置の第２実施例の上面側からの斜視図であり、図９は下面側からの斜視図である。この盗難防止装置１００は板状の本体部１０１と、本体部１０１の端部に立設された警報部１０２と、２つの接点保持部材１０３，１１３と、弾性部材１０４，１１４とから構成されている。警報部１０２を設けたことで、集中管理装置２１が不要になる。
【００４１】
本体部１０１は、第１実施例と同様に、薄板を離間して貼り合せた中空構造となっている。第１実施例との違いは、本体部１０１の一方側に警報部１０２の外装部分を一体形成したＬ字型となっている点である。また、第１実施例よりも、短辺方向の長さが長い、すなわち幅広となっている。
【００４２】
本体部１０１の先端は２つの突出部１０１ａ，１０１ｂに別れ、それぞれの先端に肉厚部１０１ｃ，１０１ｄが形成されている。また、本体部１０１の長辺方向の中央よりやや後方には突起状の滑り止め部１０５が上面側の両側に２つ形成されている。この滑り止め部１０５は、下面側にも形成されている。
【００４３】
警報部１０２内には、特許文献１に記載された盗難防止装置の筐体内に収容されているものと同じような、警報回路、電源用の電池、警報用の点灯手段１０７、警棒ブザー、各種のスイッチ等が収容されている。
【００４４】
接点保持部材１０３，１１３は、突出部１０１ａ，１０１ｂの間に、並んで配置されている。すなわち、接点保持部材１０３が盗難防止装置１００の上面側に、接点保持部材１１３は盗難防止装置１００の下面側に配置されている。
【００４５】
接点保持部材１０３，１１３は第１実施例の接点保持部材１３と同様で、四角形状で下面の３方向に周縁があり、一方に開口部を有し、先端には凸部１０３ａ，１１３ａを有している。接点保持部材１０３，１１３の開口からは、弾性部材１０４，１１４が挿入され、接点保持部材１０３，１１３に設けられた３方向の周縁に弾性部材１０４，１１４の先端と左右の両側端が当接するように取り付けられている。
【００４６】
弾性部材１０４，１１４は、第１実施例の弾性部材１４と同様にバネ鋼をヘアピン状に折り曲げて作られたものであり、弾性部材１０４には可動接点１０４ａが、弾性部材１１４には可動接点１１４ａが、それぞれ一体に形成されている。弾性部材１０４及び１１４は、図示しないが、第１実施例の短片１４ｂ、可動接点１４ｃ、孔１４ｄに相当するものを備えている。各可動接点１０４ａ，１１４ａは、接点保持部材１０３，１１３内に配置される。弾性部材１０４，１１４は、第１実施例と同じように、ピン１７と同様の軸で本体部１０１に取り付けられており、この軸を中心として、回動と直線的な進退とが可能になっている。
【００４７】
本体部１０１の可動接点１０４ａ，１１４ａと対向する位置には、図示しないが、第１実施例の基板１２と同様の基板があり、固定接点１２ｂと同じ固定接点が設けられている。可動接点１０４ａ，１１４ａは、弾性部材１０４，１１４の弾性により、それぞれ対向する固定接点に接離可能である。また、接点保持部材１０３，１１３のスライドによっても接離可能である。
【００４８】
警報部１０２の上面１０２ａには、点灯手段１０７が設けられている。点灯手段１０７はＬＥＤであり、以下に示す場合に点灯するようになっている。
【００４９】
点灯手段１０７が点灯する場合としては、２つの可動接点１０４ａ，１１４ａのうち、一方の可動接点が固定接点から離れた時点で点灯させる場合と、全ての可動接点１０４ａ，１１４ａが固定接点から離れた時点で点灯させる場合とがある。本発明の盗難防止装置１００では、いずれの場合に点灯するようにしてもよい。点灯手段１０７が点灯すると、警報部１０２の内部に設けられた図示しない警報ブザーから警報音を出すようになっている。
【００５０】
上面１０２ａには、点灯手段１０７の他に、盗難防止装置１００の電源をＯＮ／ＯＦＦするための電源スイッチ１０８、盗難防止装置１００に内蔵された電池が電池切れになっているかどうかをチェックする電池切れチェックスイッチ１０９およびロック解除スイッチ１１０がある。電源スイッチ１０８及びチェックスイッチ１０９は小さな穴の奥に設けられており、簡単に外から操作できないようになっている。電源スイッチ１０８は、たとえば、細い棒を入れて操作することでＯＮになる。しかし、一度ＯＮにすると、ロックされて再度棒で操作してもＯＦＦにすることはできないようになっている。ＯＦＦにするには、ロック解除スイッチ１１０を押すかスライドするなどの操作をして上記のロックを解除し、それと同時に電源スイッチ１０８を操作してＯＦＦにする必要がある。この場合、警報部１０２の図示の部分にロック解除スイッチ１１０を設けたことは、重要である。この部分は、使用時にはダンボール箱にほぼ接しているので、操作不能な状態になっている。もし、このロック解除スイッチ１１０が使用時に操作可能な位置にあると、簡単に電源をＯＦＦにすることができ、盗難防止の役に立たなくなるからである。
【００５１】
図１０は本発明の盗難防止装置１００の使用状態を示す拡大図である。盗難防止装置１００は、第１実施例の盗難防止装置１０と同様に、積み重ねられたダンボール箱３１，３２の間に挿入して使用する。盗難防止装置１００の上下に設けられた２つの可動接点１０４ｃ，１０４ｄは、ダンボール箱３２の重みによってそれぞれの固定接点に接触する。
【００５２】
ダンボール箱３２が取り除かれると、弾性部材１０４，１１４の弾性力によって、全ての可動接点１０４ａ，１１４ａが固定接点から離れ、警報部１０２の点灯手段１０７が点灯し、併せて警報ブザーも鳴動する。また、盗難防止装置１００をダンボール箱３１，３２の間から図の右方向へ抜き取ろうとすると、本体部１０１はそれに連動して右方向へ移動するが、２つの可動接点１０４ａはダンボール箱３１，３２との摩擦力によって移動せずにその場にとどまる。その結果、可動接点１０４ａと固定接点が同じ面内で移動して接点が開き、点灯手段１０７等が作動することとなる。
【００５３】
盗難防止装置１００は、警報部１０２をダンボール３１，３２の外側に突出させた状態で使用する。そのため、ダンボール箱を搬入・搬出するときに、作業員の体や搬送中のダンボール箱等が警報部１０２にぶつかり、その衝撃で盗難防止装置１００がずれて可動接点１０４ａ，１１４ａと固定接点とが離れて点灯手段１０７が点灯し、警報音が鳴動してしまう誤動作を起こす場合がある。滑り止め部１０５はこのような誤動作を防止するためのものである。盗難防止装置１００をダンボール箱３１，３２の間に挟むと、滑り止め部１０５の突起がダンボール箱３１，３２に食い込む。それによって警報部１０２に人がぶつかっても盗難防止装置１００がずれることがなくなり、誤動作を防止することができる。
【００５４】
なお、滑り止め部１０５は突起の他に、ゴムシート等摩擦係数の高いシートを本体部１０１に貼り付けることで、本体部１０１のズレを防止しても良い。
【００５５】
また、この実施例で、図４に集中管理装置２１を使用し、各盗難防止装置１００とをページャなどのような無線により接続する構成としてもよい。その場合、集中管理装置２１では、単に、いずれかの盗難防止装置１００が作動したことを警報ランプ２１ｃや、警報ブザー２１ｄで知らせればよいことになる。警報が鳴動すれば、どの盗難防止装置１０が作動したかは、個々の盗難防止装置１００が使用されている現場にいって、ＬＥＤの点灯しているものを探すだけでよい。
【図面の簡単な説明】
【００５６】
【図１】本発明の盗難防止装置の分解斜視図である。
【図２】組立た状態を示す斜視図である。
【図３】（ａ），（ｂ）は、基板の電気回路の例を示す拡大図である。
【図４】本発明の盗難防止装置と集中管理装置との接続を示す図である。
【図５】接点保持部材の回動範囲を示す拡大図である。
【図６】本発明の盗難防止装置の使用状態を示す拡大断面図である。
【図７】図６において、上の段ボール箱を取り除いた状態を示す拡大断面図である。
【図８】本発明の盗難防止装置の第２実施例の上面側の斜視図である。
【図９】本発明の盗難防止装置の第２実施例の下面側の斜視図である。
【図１０】本発明の盗難防止装置の使用状態を示す拡大図である。
【符号の説明】
【００５７】
１０，１００                          盗難防止装置
１１，１０１                          本体部
１１ａ，１１ａ，１０１ａ，１０１ｂ    突出端部
１１ｂ，１１ｂ，１０１ｃ，１０１ｄ    厚肉部（回転角度の規制部）
１１ｄ                                長孔（進退量の規制部）
１１ｅ                                凹部
１１ｆ                                溝
１２ａ                                電気回路
１２ｂ                                固定接点
１３，１０３，１１３                  接点保持部材
１３ｂ，１０３ａ                      凸部
１４，１０４，１１４                  弾性部材
１４ｃ，１０４ａ，１１４ａ            可動接点
【図１】
0004516033.tif 000002
【図２】
0004516033.tif 000003
【図３】
0004516033.tif 000004
【図４】
0004516033.tif 000005
【図５】
0004516033.tif 000006
【図６】
0004516033.tif 000007
【図７】
0004516033.tif 000008
【図８】
0004516033.tif 000009
【図９】
0004516033.tif 000010
【図１０】
0004516033.tif 000011